(57)【要約】【課題】本発明は、使い勝手の良い壁掛け型植物育成装置を提供することを目的とする。【解決手段】本発明の壁掛け型植物育成装置は、植物が配されるための複数の孔３が設けられた着脱可能なカバー２を設けたことを特徴とする。また、本発明の壁掛け型植物育成装置は、壁にかけた時に下部となる位置に貯水タンクを設けるとともに、この貯水タンクの水を上部にまわすためのポンプを備えることを特徴とする。また、本発明の壁掛け型植物育成装置は、壁掛け型植物育成装置において、壁にかけた時に上部となる位置に植物育成用ランプを設けたことを特徴とする。【選択図】　図１
2004000087.tif 000002
【特許請求の範囲】
【請求項１】
壁掛け型植物育成装置において、植物が配されるための複数の孔（３）が設けられた着脱可能なカバー（２）を設けたことを特徴とする壁掛け型植物育成装置。
【請求項２】
壁掛け型植物育成装置において、壁にかけた時に下部に位置する突出部（７）の内部に貯水タンク部を設けるとともに、この貯水タンク部の水を上部にまわすためのポンプを備えることを特徴とする壁掛け型植物育成装置。
【請求項３】
壁掛け型植物育成装置において、壁にかけた時に上部となる位置に植物育成用ランプ（５）を設けたことを特徴とする壁掛け型植物育成装置。
【請求項４】
壁掛け型植物育成装置において、室内の空気を培養土（１９）の層を通過させて再び室内に排出するための空気循環手段（１８）を設けたことを特徴とする壁掛け型植物育成装置。
【請求項５】
前記空気循環手段（１８）は、ファンであることを特徴とする請求項４に記載の壁掛け型植物育成装置。
【請求項６】
前記培養土（１９）は、セラミックボールであることを特徴とする請求項４に記載の壁掛け型植物育成装置。
【請求項７】
壁掛け型植物育成装置において、室内の空気を、植物が配されるための複数の孔（１３）を介して培養土（１９）の層を通過させ、再び室内に排出するためのファン（１８）を設けたことを特徴とする壁掛け型植物育成装置。
【発明の詳細な説明】
【０００１】
【発明の属する技術分野】
本発明は、室内の壁面に取り付け可能な壁掛け型植物育成装置に関する。
【０００２】
【従来の技術】
壁掛け型植物育成装置については、実用新案登録第３０６４４３５号公報（Ａ０１Ｇ９／０２）及び特開平８−１１６７９５号公報（Ａ０１Ｇ９／０２）等にも示されている。
【０００３】
【発明が解決しようとする課題】
本発明は、使い勝手の良い壁掛け型植物育成装置を提供することを目的とする。
【０００４】
【課題を解決するための手段】
本発明の壁掛け型植物育成装置は、植物が配されるための複数の孔（３）が設けられた着脱可能なカバー（２）を設けたことを特徴とする。
【０００５】
また、本発明の壁掛け型植物育成装置は、壁にかけた時に下部に位置する突出部（７）に貯水タンク部を設けるとともに、この貯水タンク部の水を上部にまわすためのポンプを備えることを特徴とする。
【０００６】
また、本発明の壁掛け型植物育成装置は、壁にかけた時に上部となる位置に植物育成用ランプ（５）を設けたことを特徴とする。
【０００７】
また、本発明の壁掛け型植物育成装置は、室内の空気を培養土（１９）の層を通過させて再び室内に排出するための空気循環手段（１８）を設けたことを特徴とする。さらに、この空気循環手段（１８）は、ファンであることを特徴とする。
【０００８】
また、本発明の壁掛け型植物育成装置は、室内の空気を、植物が配されるための複数の孔（３）を介して培養土（１９）の層を通過させ、再び室内に排出するためのファン（１８）を設けたことを特徴とする。
【０００９】
【発明の実施の形態】
図１を参照しつつ、本発明の第一実施形態について、説明する。
【００１０】
１は壁掛け型植物育成装置である。２は、カバーである。このカバー２には、多数の孔３が設けられている。内部には、そのままの用土（培養土）または用土が詰められた多数の容器が配置されている。この内部の用土により植物は育成され、前記孔３より外部に成長する。４はステーである。５は、育成用ランプである。６は覆いである。７は貯水タンク部が内部に配置される突出部である。
【００１１】
この装置１では、壁にかける前に水平にして内部に用土及び種または苗を配置する。水をかける。そして、カバー２を取り付ける。苗の位置は孔３に対応した位置に配置されているので、この苗は孔３より、外部に成長することが可能である。なお、カバー２は着脱可能である。この後、装置１を垂直にして壁に掛ける。
【００１２】
このとき、内部の用土にしみた水は、下方に移動し、前述の貯水タンク部に溜まり、室内にもれ出ることはない。
【００１３】
また、利用者は、必要な時にランプ５を点灯して、不足する光を補う。
【００１４】
また。利用者が潅水する場合は、最上段の孔３より行う。また、貯水タンク部の水を上部にあげるポンプを内部に設けている。
【００１５】
なお、本実施形態の説明では、装置１を垂直にて壁に掛けて植物を育成しているが、短期間であれば、装置１を水平にしたままでの育成も可能である。
【００１６】
図２〜図４を参照しつつ、本発明の第二実施形態について、説明する。図２は、この第二実施形態の側面図である。図３は、断面図である。図４は、水の流れを説明するための図である。
【００１７】
図２において、１０は栽培されている植物である。１１は壁掛け型植物育成装置である。１４はステーである。１５は、蛍光灯である。１６は覆いである。１７は貯水タンク部が内部に配置される突出部である。
【００１８】
図３において、１３は、孔である。この壁掛け型植物育成装置１１の内部には、セラミックボールなどの無菌性培培養土１９である用土が配置されている。この内部の培養土１９により植物は育成され、前記孔１３より外部に成長する。
【００１９】
１８は空気循環用のファンである。２０は貯水タンクである。２１は揚水ポンプである。２２は給水用配管である。２３はフィルタである。
【００２０】
この壁掛け型植物育成装置１１での水の流れを図４に示す。この第二実施形態でも壁掛け型植物育成装置は、壁にかけた時に下部に位置する突出部（１７）に貯水タンク部（２０）を設けるとともに、この貯水タンク部（２０）の水を上部にまわすためのポンプ（２１）を備える。
【００２１】
貯水タンク２０に溜められた水は、揚水ポンプ２１により配管２２により培養土１９の上部に揚げられ、培養土１９の上部より培養土１９内を浸みて、植物１０に水をやる。残った水は、フィルタ２２で浄化され貯水タンク２０に再び溜められる。
【００２２】
この壁掛け型植物育成装置１１での空気の流れを説明する。
【００２３】
図３のファン１８のオンにより、室内の空気が孔１３，１３、・・・を通り培養土１９内を通過する。このとき、培養土１９に臭い成分等が付着し、微生物により分解される。そして、この壁掛け型植物育成装置１１の上部より、浄化された空気が排出される。
【００２４】
【発明の効果】
本発明は、植物が配されるための複数の孔が設けられた着脱可能なカバーを設けたので、用土が室内に落ちることを防止でき、且つ、大きな手入れのときは、壁から外して水平としてから、このカバー２外せば良く、手入れも容易である。
【００２５】
また、本発明では、壁にかけた時に下部となる位置に貯水タンクを設けるとともに、この貯水タンクの水を上部にまわすためのポンプを備えるので、潅水の手間も軽減される。
【００２６】
また、本発明では、壁にかけた時に上部となる位置に植物育成用ランプを設けたので、室内での植物の育成に不足がちな光を供給することができる。
【００２７】
また、本発明では、室内の空気を培養土の層を通過させることにより、空気の浄化を行うこうとが出来る。
【図面の簡単な説明】
【図１】本発明の第一実施形態を示す図である。
【図２】本発明の第二実施形態を示す図である。
【図３】第二実施形態の断面図である。
【図４】第二実施形態での水の流れを説明するための図である。
【符号の説明】
１　壁掛け型植物育成装置、
２　カバー、
３　孔、
５　植物育成用ランプ、
１１　壁掛け型植物育成装置、
１３　孔、
１５　植物育成用ランプ（蛍光灯）、
１８　ファン、
１９　培養土、
２０　貯水タンク、
２１　揚水ポンプ。
【図１】
2004000087.tif 000003
【図２】
2004000087.tif 000004
【図３】
2004000087.tif 000005
【図４】
2004000087.tif 000006